(57)【要約】      （修正有）【課題】見た目が良く、簡単に取り付けることができて、緊結部及び支柱を確実に保護することができる緊結式足場用保護材を提供する。【解決手段】くさび緊結式足場用保護材１０Ａは、支柱に沿って取り付けることにより支柱を覆う保護材本体１１と、保護材本体１１の内側面（一面）１１ａに設けられて受側緊結部のジョイント部によって係止可能な保護材取付部１２と、を有する。このため、保護材取付部１２の係止部１２ｂを支柱の受側緊結部のジョイント部に挿入することにより、取り付けることができる。これにより、従来のように紐等を用いて支柱に巻き付けることがないので、見た目が良く、簡単に取り付けることができて、受側緊結部及び支柱を確実に保護することができる。【選択図】図１
0003213579.tif 000002
【実用新案登録請求の範囲】
【請求項１】
軸線方向に沿って所定間隔で受側緊結部が設けられた支柱と、端部にくさび状緊結部が設けられた水平部材とを有し、前記くさび状緊結部を、前記受側緊結部に上下方向に貫通して設けられているジョイント部に圧入して組み立てられるくさび緊結式足場を保護するくさび緊結式足場用保護材であって、
前記支柱に沿って取り付けられて前記柱を覆う保護材本体と、
前記保護材本体の一面に設けられて前記ジョイント部によって係止可能な保護材取付部と、を有するくさび緊結式足場用保護材。
【請求項２】
請求項１に記載のくさび緊結式足場用保護材において、
前記保護材取付部は、前記受側緊結部の間隔の整数倍の間隔で設けられているくさび緊結式足場用保護材。
【請求項３】
請求項１又は請求項２に記載のくさび緊結式足場用保護材において、
前記保護材本体は断面略円弧状を呈しており、
前記保護材取付部は前記保護材本体の内側面に取り付けられているくさび緊結式足場用保護材。
【請求項４】
請求項１から請求項３のうちのいずれか１項に記載のくさび緊結式足場用保護材において、
前記保護材取付部は、前記保護材本体の内側面に直交する水平部と、前記水平部の先端から前記内側面と平行に設けられている係止部と、を有するくさび緊結式足場用保護材。
【考案の詳細な説明】
【技術分野】
【０００１】
本考案は、くさび緊結式足場における支柱を保護するためのくさび緊結式足場用保護材に関する。
【背景技術】
【０００２】
従来、主に木造家屋等の低層や中層の建設現場では、足場を設置する敷地が狭く、建物の形状が複雑であるため、盛替え、組み替え作業が簡単にでき、建物の形状に容易に対応できる足場としてくさび緊結式足場が使用されている。
【０００３】
くさび緊結式足場は、一定間隔に緊結部を備えた鋼管を支柱とし、くさび状の緊結部が端部に設けられた水平材や、作業場や通路を形成する踏板等を有する。このくさび緊結式足場を組み立てる際には、水平材のくさび状緊結部を支柱の緊結部の貫通孔に上側から下方に向けて差し込み、ハンマーでくさび状緊結部をたたき込むことにより容易に組立ができる。
【０００４】
前述したくさび緊結式足場では、緊結部が支柱の外側に突出するので、作業者や付近を通行する通行人が当たるおそれがある。また、露出した緊結部に気付かずに、建築資材等を当てて、破損させてしまうおそれがあった。
【０００５】
このような問題は、くさび緊結式足場に限られるものではなく、従来、クランプを用いてパイプ部材を締結する足場においては、クランプを保護するために用いられるクランプカバーを用いて、緊結部を保護することが提案されている（例えば、特許文献１参照）。
また、くさび緊結式足場においては、水平材の端部に設けられているくさび状緊結部が露出する場合には、くさび状緊結部に装着して保護する安全カバーが提案されている（例えば、特許文献２参照）。
【先行技術文献】
【特許文献】
【０００６】
【特許文献１】特許第４００４８９８号公報
【特許文献２】特許第５５９６３３２号公報
【考案の概要】
【考案が解決しようとする課題】
【０００７】
ところで、一般に、足場において支柱や水平部材を保護する場合には、例えばポリエチレン製のクッション材を巻き付け、ひもで固定することが行われている。このとき、突出した緊結部を含めてクッション材を巻き付けて保護することも考えられる。
【０００８】
しかしながら、クッション材を巻き付け、ひもで固定することは、緊結部と支柱とを保護することが可能であるものの、見た目がみすぼらしいとともに、ひもで結び付けなければならないため、面倒であるという問題があった。
【０００９】
本考案は、従来の問題を解決するためになされたもので、見た目が良く、簡単に取り付けることができて、緊結部及び支柱を確実に保護することができる緊結式足場用保護材を提供することを目的とする。
【課題を解決するための手段】
【００１０】
（１）本願考案に係る１つの態様は、軸線方向に沿って所定間隔で受側緊結部が設けられた支柱と、端部にくさび状緊結部が設けられた水平部材とを有し、前記くさび状緊結部を、前記受側緊結部に上下方向に貫通して設けられているジョイント部に圧入して組み立てられるくさび緊結式足場を保護するくさび緊結式足場用保護材であって、前記支柱に沿って取り付けられて前記支柱を覆う保護材本体と、前記保護材本体の一面に設けられて前記ジョイント部によって係止可能な保護材取付部と、を有することを特徴とするくさび緊結式足場用保護材を提供する。
【００１１】
（２）上記（１）に記載のくさび緊結式足場用保護材において前記保護材取付部は、前記受側緊結部の間隔の整数倍の間隔で設けられているものであってもよい。
【００１２】
（３）また、上記（１）又は（２）に記載のくさび緊結式足場用保護材において、前記保護材本体は断面略円弧状を呈しており、前記保護材取付部は前記保護材本体の内側面に取り付けられているものであってもよい。
【００１３】
（４）さらに、上記（１）から（３）のいずれかに記載のくさび緊結式足場用保護材において、前記保護材取付部は、前記保護材本体の内側面に直交する水平部と、前記水平部の先端から前記内側面と平行に設けられている係止部と、を有するものであってもよい。
【考案の効果】
【００１４】
本考案は、見た目が良く、簡単に取り付けることができて、緊結部及び支柱を確実に保護することができるという効果を有するくさび緊結式足場用保護材を提供できる。
【図面の簡単な説明】
【００１５】
【図１】本考案に係る第１実施形態のくさび緊結式足場用保護材を斜め上方から見た全体斜視図である。
【図２】（Ａ）は本考案に係る第１実施形態のくさび緊結式足場用保護材の断面図であり、（Ｂ）はくさび緊結式足場用保護材を支柱に取り付けた状態を示す断面図であり、（Ｃ）は（Ａ）中Ｃ−Ｃ位置の断面図である。
【図３】（Ａ）は本考案に係る第１実施形態のくさび緊結式足場用保護材を支柱に取り付けた状態を示す側面図であり、（Ｂ）は図２（Ｂ）におけるＩＩＩ−ＩＩＩ位置の断面図である。
【図４】くさび緊結式足場の全体斜視図である。
【図５】くさび緊結式足場の締結部の構成を示す拡大図である。
【図６】（Ａ）は本考案に係る第２実施形態のくさび緊結式足場用保護材の断面図であり、（Ｂ）はくさび緊結式足場用保護材を角部の支柱に取り付けた状態を示す断面図である。
【考案を実施するための形態】
【００１６】
（第１実施形態）
以下、本考案に係る第１実施形態のくさび緊結式足場用保護材について、図面を用いて説明する。なお、以下の説明において、「上」は実際に地面等に立設される支柱の上側を示し、「下」は地面側を指す（図１参照）。また、「前」はくさび緊結式足場から見て建設物と反対側を示し、「後」はくさび緊結式足場から見た建設物側を示すこととする（図１、図２（Ｂ）参照）。
【００１７】
まず、本考案に係る第１実施形態のくさび緊結式足場用保護材が適用可能なくさび緊結式足場の全体について説明する。図４はくさび緊結式足場の全体斜視図であり、図５はくさび緊結式足場の締結部の構成を示す拡大図である。
図４に示すようにくさび緊結式足場１は、地面等の載置面に上下方向に立設された複数本のパイプ部材からなる支柱２を有しており、支柱２間には、複数段のパイプ部材からなる水平部材３が取り付けられている。
【００１８】
図５にも示すように、支柱２の外周面には、中心角９０°間隔で設けられた４個の受側緊結部４が、上下方向（軸線方向）に所定間隔で取り付けられている（図２Ｂ参照）。各受側緊結部４は、上下方向に貫通するジョイント部４ａを有する。ジョイント部４ａは、下端の断面積が上端の断面積よりも小さい略矩形筒状を呈している。また、水平部材３の両端に設けられているくさび状緊結部５は、下方に向かって断面積が小さくなるくさび５ａを有する。
【００１９】
したがって、図４に示すように、くさび緊結式足場１は、水平部材３のくさび５ａを支柱２の受側緊結部４のジョイント部４ａに差し込み、あるいは打ち込むことにより、支柱２に水平部材３を連結して構成される（図２（Ｂ）参照）。なお、支柱２の前側に設けられている受側緊結部４には、両端にくさび状緊結部５を有するブラケット６が水平部材３に直交する方向に取り付けられており、ブラケット６間には踏板７が取り付けられている。また、くさび緊結式足場１の外側には、各支柱２間にメッシュシート８が取り付けられている（図２（Ｂ）参照）。
【００２０】
次に、本考案に係る第１実施形態のくさび緊結式足場用保護材１０Ａについて、図面を用いて説明する。図１は本考案に係る第１実施形態のくさび緊結式足場用保護材を斜め上方から見た全体斜視図である。図２（Ａ）は本考案に係る第１実施形態のくさび緊結式足場用保護材の断面図であり、図２（Ｂ）はくさび緊結式足場用保護材を支柱の緊結部に取り付けた状態を示す断面図であり、図２（Ｃ）は図２（Ａ）中Ｃ−Ｃ位置の断面図である。また、図３（Ａ）は本考案に係る第１実施形態のくさび緊結式足場用保護材を支柱に取り付けた状態を示す側面図であり、図３（Ｂ）は図２（Ｂ）におけるＩＩＩ−ＩＩＩ位置の断面図である。
【００２１】
第１実施形態のくさび緊結式足場用保護材１０Ａは、くさび緊結式足場１において、左右両側に一直線状に隣接する支柱２を有する支柱２に取り付けるものである（図２（Ｂ）参照）。
【００２２】
図１に示すように、くさび緊結式足場用保護材１０Ａは、支柱２に沿って取り付けられて支柱２を覆う保護材本体１１と、保護材本体１１の内側面（一面）１１ａに設けられて受側緊結部４のジョイント部４ａによって係止可能な保護材取付部１２を有する。図２（Ａ）にも示すように、保護材本体１１は断面略半円形状を呈しており、保護材取付部１２は保護材本体１１の内側面１１ａにおける幅方向の略中央部に１個取り付けられている。なお、受側緊結部４及び保護材取付部１２を合わせて表現する場合には、「緊結部」と総称する場合もある。
【００２３】
図３（Ａ）及び（Ｂ）に示すように、保護材本体１１の内側面１１ａに取り付けられている保護材取付部１２は、受側緊結部４の上下方向間隔Ｄの整数倍の間隔で設けられている。例えば、保護材取付部１２を受側緊結部４の上下方向間隔Ｄと等しく設けて、保護材取付部１２を各受側緊結部４に取り付けるようにすることもできる。
あるいは、保護材取付部１２を、受側緊結部４の上下方向間隔Ｄの２倍あるいは３倍で設けることもできる。
【００２４】
なお、保護材取付部１２は、少なくとも最も上側に位置する受側緊結部４及び最も下側に位置する受側緊結部４に対応するように設けるのが望ましい。これにより、保護材本体１１の上端部及び下端部が、風等によりバタつくのを回避することができる。
本実施形態のくさび緊結式足場用保護材１０Ａにおいては、保護材取付部１２を保護材本体１１の上端部及び下端部に設けるとともに、保護材取付部１２を受側緊結部４の上下方向間隔Ｄの３倍で設けた場合を例示した。
【００２５】
図２（Ｃ）に示すように、保護材取付部１２は、保護材本体１１の内側面１１ａに直交する水平部１２ａと、水平部１２ａの先端から保護材本体１１の内側面１１ａと平行に設けられている係止部１２ｂとを有する。係止部１２ｂは、受側緊結部４のジョイント部４ａによって係止可能なくさび形状を呈している。
【００２６】
保護材本体１１及び保護材取付部１２は、例えばポリエチレン等の樹脂で一体成型することができる。あるいは、保護材本体１１の内側面１１ａに、別途作成した保護材取付部１２を、接着剤等により後付けすることも可能である。また、保護材取付部１２は、保護材本体１１とは別の材料により形成しておき、保護材本体１１の内側面１１ａに後付けすることも可能である。なお、保護材取付部１２は、ある程度硬い材料を用いて形成するのが望ましい。
【００２７】
次に、くさび緊結式足場用保護材１０Ａのくさび緊結式足場１への取付作業について説明する。
くさび緊結式足場用保護材１０Ａは、くさび緊結式足場１を組み立てた後に、後付けする。すなわち、保護する支柱２の前方にくさび緊結式足場用保護材１０Ａを配置する。そして、くさび緊結式足場用保護材１０Ａの保護材取付部１２が、支柱２の受側緊結部４の上側に位置するようにくさび緊結式足場用保護材１０Ａを位置決めし、保護材取付部１２の係止部１２ｂの下端部を受側緊結部４のジョイント部４ａに挿入する。
【００２８】
次いで、くさび緊結式足場用保護材１０Ａを下方へ移動させ、係止部１２ｂを受側緊結部４のジョイント部４ａに差し込む。そして、必要ならば、係止部１２ｂをジョイント部４ａに打ち込む。これにより、くさび緊結式足場用保護材１０Ａは、くさび緊結式足場１に取り付けられる。
【００２９】
次に、本考案に係る第１実施形態のくさび緊結式足場用保護材１０Ａの作用効果について説明する。
図１に示すように、くさび緊結式足場用保護材１０Ａは、支柱２に沿って取り付けることにより支柱２を覆う保護材本体１１と、保護材本体１１の一面に設けられて受側緊結部４のジョイント部４ａに係止可能な保護材取付部１２と、を有する。このため、保護材取付部１２の係止部１２ｂを支柱２の受側緊結部４のジョイント部４ａに挿入することにより、取り付けられる。
【００３０】
これにより、従来のように保護材を支柱２に巻き付けて紐等を用いて取り付けることがないので、見た目が良く、簡単に取り付けることができて、受側緊結部４及び支柱２を確実に保護することができる（図２（Ｂ）参照）。
【００３１】
また、くさび緊結式足場用保護材１０Ａの保護材取付部１２は、支柱２の受側緊結部４の間隔Ｄの整数倍の間隔で設けられているので、２個以上の保護材取付部１２の係止部１２ｂを支柱２の受側緊結部４のジョイント部４ａに挿入することができる。
これにより、くさび緊結式足場用保護材１０Ａを、くさび緊結式足場１にしっかりと取り付けることができる（図３（Ａ）及び（Ｂ）参照）。
【００３２】
また、保護材本体１１は断面略円弧状を呈しており、保護材取付部１２は保護材本体１１の内側面１１ａに取り付けられている。
これにより、保護材取付部１２の係止部１２ｂを支柱２の受側緊結部４のジョイント部４ａに挿入してくさび緊結式足場用保護材１０Ａをくさび緊結式足場１に取り付けると、支柱２及び支柱２から突出する部分を完全に覆うことができる（図２（Ｂ）参照）。
【００３３】
また、くさび緊結式足場用保護材１０Ａの保護材取付部１２は、保護材本体１１の内側面１１ａに直交する水平部１２ａと、水平部１２ａの先端から内側面１１ａと平行に設けられている係止部１２ｂとを有する。
これにより、支柱２から所定距離離れた外側にくさび緊結式足場用保護材１０Ａを取付けることができ、支柱２から突出する部分も完全に保護することができる（図２（Ｂ）参照）。
【００３４】
なお、上述した第１実施形態のくさび緊結式足場用保護材１０Ａにおいては、くさび緊結式足場１の前側にのみくさび緊結式足場用保護材１０Ａを取付ける場合について説明したが、これに限らず、後側にも同様に取り付けることもできる。
【００３５】
（第２実施形態）
次に、本考案に係る第２実施形態のくさび緊結式足場用保護材について、図面を用いて説明する。
図６（Ａ）は本考案に係る第２実施形態のくさび緊結式足場用保護材の断面図であり、図６（Ｂ）はくさび緊結式足場用保護材を支柱に取り付けた状態を示す断面図である。なお、前述した第１実施形態のくさび緊結式足場用保護材１０Ａと共通する部位には同じ符号を付して、重複する説明を省略することとする。
【００３６】
第２実施形態のくさび緊結式足場用保護材１０Ｂは、くさび緊結式足場１においてくさび緊結式足場用保護材１０Ｂを取付ける支柱２の両側に隣接する支柱２が、略直交する位置にある角部に取り付けるものである（図６（Ｂ）参照）。
【００３７】
図６（Ａ）及び（Ｂ）に示すように、くさび緊結式足場用保護材１０Ｂは、支柱２に沿って取り付けられて支柱２を覆う保護材本体１３と、保護材本体１３の内側面（一面）１３ａに設けられて、受側緊結部４のジョイント部４ａによって係止可能な保護材取付部１４を有する。
【００３８】
保護材本体１３は中心角が約２７０°の断面略円弧状を呈しており、保護材取付部１４は保護材本体１３の内側面１３ａにおける幅方向を３等分する位置に合計２個取り付けられている。その他の構成は、前述した第１実施形態のくさび緊結式足場用保護材１０Ａと同様である。
【００３９】
このように構成することにより、くさび緊結式足場用保護材１０Ｂは、くさび緊結式足場１の角部の支柱２に取り付ける際に、従来のように保護材を支柱２に巻き付けて紐等を用いて取り付けることがないので、見た目が良く、簡単に取り付けることができて、受側緊結部４及び支柱２を確実に保護することができる（図６（Ｂ）参照）。
【００４０】
以上、本考案のくさび緊結式足場用保護材１０Ａ、１０Ｂについて、具体的な実施形態に基づいて説明してきたが、本考案は、前述した具体的な実施形態に限定されるものでなく、本考案の技術思想を逸脱しない範囲における様々な変形及び改良を行ってもよいことは言うまでもない。
【００４１】
例えば、上述したくさび緊結式足場用保護材１０Ａ、１０Ｂにおいては、支柱２に取り付けられている受側緊結部４が、支柱２の外周面に中心角９０°刻みで４個設けられている場合（図２（Ｂ）及び図６（Ｂ）参照）について説明したが、この場合に限らない。支柱２の外周面に設けられている受側緊結部４に対応して保護材取付部１２、１４を設けることにより、直角に曲がる角部以外に任意の角度で曲がる角部にも適用することができる。
【符号の説明】
【００４２】
１  くさび緊結式足場
２  支柱
３  水平部材
４  受側緊結部
４ａ  ジョイント部
５  くさび状緊結部
１０Ａ、１０Ｂ  くさび緊結式足場用保護材
１１、１３  保護材本体
１１ａ、１３ａ  内側面（一面）
１２、１４  保護材取付部
１２ａ  水平部
１２ｂ  係止部
Ｄ  間隔
【図１】
0003213579.tif 000003
【図２】
0003213579.tif 000004
【図３】
0003213579.tif 000005
【図４】
0003213579.tif 000006
【図５】
0003213579.tif 000007
【図６】
0003213579.tif 000008